(57)【要約】      （修正有）【課題】水たまりの水を効率よく除去する排水ポンプを提供する。【解決手段】本発明に係る排水ポンプ１は、水を吸引・排出するための動力駆動部２を有し、水を取り込む吸水孔３Ａを有する吸引部３を下端に配設し、取り込んだ水を排出する排出孔６Ｂを有する吐出部６を吸引部３の上方に配設し、水を吸引する際に空気の噛み込みを防止する空気遮断部４を吸引部３と吐出部６との間で吸引部３を上方から被覆するよう配設し、しかも、空気遮断部４はシート状の弾性部材からなることを特徴とする。【選択図】図１
2020143664.tif 000002
【特許請求の範囲】
【請求項１】
水たまりの水を除去する排水ポンプであって、
水を吸引・排出するための動力駆動部を有し、
水を取り込む吸水孔を有する吸引部を下端に配設し、
取り込んだ水を排出する排出孔を有する吐出部を前記吸引部の上方に配設し、
水を吸引する際に空気の噛み込みを防止する空気遮断部を前記吸引部と前記吐出部との間で前記吸引部を上方から被覆するよう配設し、
しかも、前記空気遮断部はシート状の弾性部材からなることを特徴とする排水用ポンプ。
【請求項２】
前記吸引部は、底部が密栓された有底筒状に形成すると共に水平方向に前記吸水孔を形成したことを特徴とする請求項１に記載の排水ポンプ。
【請求項３】
前記吸引部は、前記吸水孔を複数形成したことを特徴とする請求項２に記載の排水ポンプ。
【請求項４】
前記空気遮断部は、前記吸引部と同軸で円盤状に形成したことを特徴とする請求項１乃至３の何れか１項に記載の排水ポンプ。
【請求項５】
前記空気遮断部は、上下に摺動自在に形成したことを特徴とする請求項１乃至４の何れか１項に記載の排水ポンプ。
【請求項６】
前記動力駆動部は、人手による手動式であることを特徴とする請求項１乃至５の何れか１項に記載の排水ポンプ。
【発明の詳細な説明】
【技術分野】
【０００１】  本発明は、水たまりの水を効率よく除去する排水ポンプに関する。
【背景技術】
【０００２】  校庭で活動するときに水たまりがあるときは，スポンジで水を吸い取る光景がよく見られる。しかし，スポンジに吸水してもバケツに移すまでに水が落ち効率も悪く，またスポンジ内に砂利が残る為，スポンジの痛みも激しく経済性も悪い。【０００３】  そこで、例えば特許文献１に係る技術が開示されており、本技術によれば底部に接地プレートを有する可搬型ポンプを水溜まり部に設置し、作業者が足踏み部に乗り底部の吸引部からベース部のハンドル操作により吸収される。
【先行技術文献】
【特許文献】
【０００４】
【特許文献１】特開２００８−２０８７３０
【発明の概要】
【発明が解決しようとする課題】
【０００５】  しかし，それでは多大な労力と時間を要し，不便である。【０００６】  水深が浅くなると空気を噛み込み，排水が困難になる。また，水底が軟弱である場合には，作業者の体重により地面に吸水孔が埋没し泥や砂利等で塞がれてしまう恐れがある。【０００７】  この発明は、水たまりの水を効率よく除去する排水ポンプを提供することにある。
【課題を解決するための手段】
【０００８】  以上のような目的を達成するために、本発明は以下の技術を提供する。【０００９】  請求項１に係る発明では、水たまりの水を除去する排水ポンプであって、水を吸引・排出するための動力駆動部を有し、水を取り込む吸水孔を有する吸引部を下端に配設し、取り込んだ水を排出する排出孔を有する吐出部を前記吸引部の上方に配設し、水を吸引する際に空気の噛み込みを防止する空気遮断部を前記吸引部と前記吐出部との間で前記吸引部を上方から被覆するよう配設し、しかも、前記空気遮断部はシート状の弾性部材からなることを特徴とする排水用ポンプを提供せんとする。【００１０】  請求項２に係る発明では、前記吸引部は、底部が密栓された有底筒状に形成すると共に水平方向に前記吸水孔を形成したことを特徴とする請求項１に記載の排水ポンプを提供せんとする。【００１１】  請求項３に係る発明では、前記吸引部は、前記吸水孔を複数形成したことを特徴とする請求項２に記載の排水ポンプを提供せんとする。【００１２】  請求項４に係る発明では、前記空気遮断部は、前記吸引部と同軸で円盤状に形成したことを特徴とする請求項１乃至３の何れか１項に記載の排水ポンプを提供せんとする。【００１３】  請求項５に係る発明では、前記空気遮断部は、上下に摺動自在に形成したことを特徴とする請求項１乃至４の何れか１項に記載の排水ポンプを提供せんとする。【００１４】  請求項６に係る発明では、前記動力駆動部は、人手による手動式であることを特徴とする請求項１乃至５の何れか１項に記載の排水ポンプを提供せんとする。
【発明の効果】
【００１５】  請求項１記載の発明によれば、水を吸引・排出するための動力駆動部を有し、水を取り込む吸水孔を有する吸引部を下端に配設し、取り込んだ水を排出する排出孔を有する吐出部を吸引部の上方に配設し、水を吸引する際に空気の噛み込みを防止する空気遮断部を吸引部と吐出部との間で吸引部を上方から被覆するよう配設し、しかも、空気遮断部はシート状の弾性部材からなることより、空気遮断部が水面上に落とし蓋状となって吸水することで空気の噛み込みを防止することができる。【００１６】  請求項２記載の発明によれば、吸引部は、底部が密栓された有底筒状に形成すると共に水平方向に吸水孔を形成したことより、砂を吸引することがなく吸水することができる。【００１７】  請求項３記載の発明によれば、吸引部は、吸水孔を複数形成したことより、絶えずより多く、向きを限定せず吸水することができる。【００１８】  請求項４記載の発明によれば、空気遮断部は、吸引部と同軸で円盤状に形成したことより、水面に密着し空気を噛み込むことなく水たまりのどこに置いても吸水することができる。【００１９】  請求項５記載の発明によれば、前記空気遮断部は、上下に摺動自在に形成したことより、あらゆる深さの水たまりにも対応でき，吸水することができる。【００２０】  請求項６記載の発明によれば、動力駆動部は、人手による手動式であることより、電源を用いず，あらゆる場所で使用することができる。
【図面の簡単な説明】
【００２１】
【図１】本発明の実施形態に係る排水ポンプを示す全体図である。
【図２】本発明の実施形態に係る排水ポンプの断面図を示す図である。
【図３】吸引部と空気遮断部の部分断面拡大図で，残水水位が高い場合の図である。
【図４】吸引部と空気遮断部の部分断面拡大図で，残水水位の低い場合の図である。
【図５】水たまりの排水作業を示す斜視図である。
【発明を実施するための形態】
【００２２】  本発明の実施形態に係る排水ポンプの要旨は、水たまりの水を除去する排水ポンプであって、水を吸引・排出するための動力駆動部を有し、水を取り込む吸水孔を有する吸引部を下端に配設し、取り込んだ水を排出する排出孔を有する吐出部を吸引部の上方に配設し、水を吸引する際に空気の噛み込みを防止する空気遮断部を吸引部と吐出部との間で吸引部を上方から被覆するよう配設し、しかも、空気遮断部はシート状の弾性部材からなることを特徴とする。すなわち、水たまりの水を効率よく除去する排水ポンプの提供を図ろうとするものである。
【００２３】  以下、本発明に係る排水ポンプの一実施形態について図面を示して説明する。
【００２４】  本実施形態に係る排水ポンプ１は、図１、図５に示すように、水Ａを吸引・排出するための動力駆動部２を有し、水Ａを取り込む吸水孔３Ａを有する吸引部３を下端に配設し、取り込んだ水Ａを排出する排出孔６Ｂを有する吐出部６を吸引部３の上方に配設し、水Ａを吸引する際に空気の噛み込みを防止する空気遮断部４を吸引部３と吐出部６との間で吸引部３を上方から被覆するよう配設し、しかも、空気遮断部４はシート状の弾性部材から構成している。
【００２５】  また、吸引部３は、底部３Ｂが密栓された有底筒状に形成すると共に水平方向に吸水孔３Ａを形成し、更に、吸引部３は、吸水孔３Ａを複数形成している。
【００２６】  また、空気遮断部４は、吸引部３と同軸で円盤状に形成している。
【００２７】  更に、動力駆動部２は、人手による手動式としている。
【００２８】  具体的には、図１、図２に示すように、動力駆動部２は、可撓性を備えた合成樹脂材料からなる正面視太鼓状の中空に形成した把持操作部２Ａと、把持操作部２Ａの下端から連通し下方に伸延する合成樹脂材料からなる円管状の通水路５とで構成している。
【００２９】  また、吐出部６は、通水路５の上側縁部に連通した可撓性を備えた合成樹脂材料からなる円管状の排水路６Ａと、排水路６Ａの先端部に排出孔６Ｂを形成している。
【００３０】  なお、把持操作部２Ａと通水路５との連通部分、及び通水路５と排水路６Ａとの連通部分には、図示しない逆止弁を備えている。
【００３１】  従って、把持操作部２Ａを人手で把持しつつ握力の強弱により把持操作部２Ａの縮小と復帰を繰り返すことで通水路５が負圧となり、後述する吸引部３から吸引された水Ａを通水路５内に導出しつつ、２つの逆止弁により把持操作部２Ａ内への水の侵入を防止しながら水Ａを排水路６Ａへと導き、排出孔６Ｂから排出させることができる。
【００３２】  また、空気遮断部４は、図５に示すように円盤状のシート状の弾性部材からなり，水Ａを吸引する際に空気の噛み込みを防止することができる。
【００３３】  空気遮断部４がシート状の弾性部材であることは、特に図４に示すように、水たまりの残水水位が低い場合でも空気遮断部４が水面を被覆するため空気の噛み込みを顕著に防止することができる。
【００３４】  なお、空気遮断部４は円盤状に限定されず、例えば傘状であってもよく、更に、水Ａを吸引する際に空気の噛み込みを防止するものであれば如何なる形状や材質であってもよい。
【００３５】  また、本実施形態においては空気遮断部４を吸引部３と同軸に形成しているが、空気遮断部４の配設位置については本実施形態に限定されるものではない。
【００３６】  また、吸引部３は，水Ａを取り込む吸水孔３Ａを複数有する硬質プラスチックから作られており，水Ａを取り込み外部へ排出するよう構成している。
【００３７】  なお、吸引部３の材質は硬質プラスチックに限定されるものではない。
【００３８】  具体的には、図２、図３等に示すように、吸引部３は、底部３Ｂが密栓された有底筒状に形成し、本実施形態では断面視略逆Ｔ字状に形成しており、更に、上部において通水路５の下端と連通し、しかも、底部３Ｂ側近傍の周側面には水平方向に通水路５と連通する吸水孔３Ａを複数形成している。
【００３９】  また、本実施形態に係る排水ポンプ１は、空気遮断部４を上下に摺動自在に形成している。
【００４０】  具体的には、空気遮断部４を通水路５または吸引部３に摺動自在に挿通することで水面の高さに応じて空気遮断部４の高さも変動する。
【００４１】  なお、空気遮断部４の摺動機構については本実施形態に限定さるものではない。
【００４２】  また、本実施形態では排水ポンプ１を手動式として説明したが、動力源として電気や化石燃料等を使用してモータを駆動させたり等、自動運転が可能なポンプであっても本発明の要旨の範囲内であることは言うまでもない。
【００４３】  以上、説明したように、図５に示すようにして把持操作部２Ａを人手で把持しつつ握力の強弱により把持操作部２Ａの縮小と復帰を繰り返すことで通水路５が負圧となり、吸引部３から吸引された水Ａを通水路５内に導出しつつ、２つの逆止弁により把持操作部２Ａ内への水の侵入を防止しながら空気遮断部４で水面を被覆して空気が噛み込まない状態でしかも、水平方向に穿設された吸水孔３Ａにより砂利等の遺物の侵入を防止した状態で水Ａを排水路６Ａへと導き、排出孔６Ｂから排出させることができる。
【００４４】  このような本実施形態に係る排水ポンプ１は、水Ａを吸引・排出するための動力駆動部２を有し、水Ａを取り込む吸水孔３Ａを有する吸引部３を下端に配設し、取り込んだ水Ａを排出する排出孔６Ｂを有する吐出部６を吸引部３の上方に配設し、水Ａを吸引する際に空気の噛み込みを防止する空気遮断部４を吸引部３と吐出部６との間で吸引部３を上方から被覆するよう配設し、しかも、空気遮断部４はシート状の弾性部材からなることより、空気遮断部４が水面上に落とし蓋状となって吸水することで空気の噛み込みを防止することができる。
【００４５】  また、吸引部３は、底部３Ｂが密栓された有底筒状に形成すると共に水平方向に吸水孔３Ａを形成したことより、砂を吸引することがなく吸水することができる。
【００４６】  また、吸引部３は、吸水孔３Ａを複数形成したことより、絶えずより多く向きを限定せず吸水することができる。
【００４７】  また、空気遮断部４は、吸引部３と同軸で円盤状に形成したことより、水面に密着し空気を噛み込むことなく水たまりのどこに置いても吸水することができる。
【００４８】  更に、前記空気遮断部４は、上下に摺動自在に形成したことより、あらゆる深さの水たまりにも対応でき，吸水することができる。
【００４９】  しかも、動力駆動部２は、人手による手動式であることより、電源を用いず，あらゆる場所で使用することができる。
【００５０】  以上、本発明の好ましい実施形態について説明したが、本発明は係る特定の実施形態に限定されるものではなく、特許請求の範囲に記載された本発明の要旨の範囲内において、種々の変形・変更が可能である。
【符号の説明】
【００５１】  Ａ  水
Ｂ  水面
１  排水ポンプ
２  動力駆動部
２Ａ  把持操作部
３  吸引部
３Ａ  吸水孔
３Ｂ  底部
４  空気遮断部
５  通水路
６  吐出部
６Ａ  排水路
６Ｂ  排出孔
【図１】
2020143664.tif 000003
【図２】
2020143664.tif 000004
【図３】
2020143664.tif 000005
【図４】
2020143664.tif 000006
【図５】
2020143664.tif 000007
【手続補正書】
【提出日】令和1年8月2日(2019.8.2)
【手続補正１】
【補正対象書類名】特許請求の範囲
【補正対象項目名】全文
【補正方法】変更
【補正の内容】
【特許請求の範囲】
【請求項１】
水たまりの水を除去する排水ポンプであって、
水を吸引・排出するための動力駆動部を有し、
水を取り込む吸水孔を有する吸引部を下端に配設し、
取り込んだ水を排出する排出孔を有する吐出部を前記吸引部の上方に配設し、
水を吸引する際に空気の噛み込みを防止する空気遮断部を前記吸引部と前記吐出部との間で前記吸引部を上方から被覆するよう配設し、
前記空気遮断部はシート状の弾性部材からなり、
しかも、前記動力駆動部は、人手による手動式であることを特徴とする排水用ポンプ。
【請求項２】
前記吸引部は、底部が密栓された有底筒状に形成すると共に水平方向に前記吸水孔を形成したことを特徴とする請求項１に記載の排水ポンプ。
【請求項３】
前記吸引部は、前記吸水孔を複数形成したことを特徴とする請求項２に記載の排水ポンプ。
【請求項４】
前記空気遮断部は、前記吸引部と同軸で円盤状に形成したことを特徴とする請求項１乃至３の何れか１項に記載の排水ポンプ。
【請求項５】
前記空気遮断部は、上下に摺動自在に形成したことを特徴とする請求項１乃至４の何れか１項に記載の排水ポンプ。
【手続補正２】
【補正対象書類名】明細書
【補正対象項目名】０００９
【補正方法】変更
【補正の内容】
【０００９】  請求項１に係る発明では、水たまりの水を除去する排水ポンプであって、水を吸引・排出するための動力駆動部を有し、水を取り込む吸水孔を有する吸引部を下端に配設し、取り込んだ水を排出する排出孔を有する吐出部を前記吸引部の上方に配設し、水を吸引する際に空気の噛み込みを防止する空気遮断部を前記吸引部と前記吐出部との間で前記吸引部を上方から被覆するよう配設し、前記空気遮断部はシート状の弾性部材からなり、しかも、前記動力駆動部は、人手による手動式であることを特徴とする排水用ポンプを提供せんとする。
【手続補正３】
【補正対象書類名】明細書
【補正対象項目名】００１４
【補正方法】削除
【補正の内容】
【手続補正４】
【補正対象書類名】明細書
【補正対象項目名】００１５
【補正方法】変更
【補正の内容】
【００１５】  請求項１記載の発明によれば、水を吸引・排出するための動力駆動部を有し、水を取り込む吸水孔を有する吸引部を下端に配設し、取り込んだ水を排出する排出孔を有する吐出部を吸引部の上方に配設し、水を吸引する際に空気の噛み込みを防止する空気遮断部を吸引部と吐出部との間で吸引部を上方から被覆するよう配設し、空気遮断部はシート状の弾性部材からなり、しかも、動力駆動部は、人手による手動式であることより、電源を用いず，あらゆる場所で使用することができ、更に、空気遮断部が水面上に落とし蓋状となって吸水することで空気の噛み込みを防止することができる。
【手続補正５】
【補正対象書類名】明細書
【補正対象項目名】００２０
【補正方法】削除
【補正の内容】